(57)【特許請求の範囲】
【請求項１】
シール材で一定の間隔に隔てて接着された第１及び第２基板と、この一対の第１及び第２
の基板の間隙に封入された液晶とから構成され、前記第１及び第２の基板の間隙で形成す
る表示エリアのパネルギャップをパネル外周の前記シール材中に分散するギャップ材のみ
で制御する液晶表示パネルであって、前記シール材中に分散するギャップ材は二種類のギ
ャップ材を有し、前記二種類のギャップ材は、前記第１の基板上に配置された絶縁膜及び
配線より軟質な粒子からなる第１のギャップ材、及び前記第１の基板上に配置された絶縁
膜及び配線より硬質な粒子からなる第２のギャップ材であって、前記第１のギャップ材の
平均粒子径をｘ１及び粒子径の標準偏差をσ１、前記第２のギャップ材の平均粒子径をｘ
２及び粒子径の標準偏差をσ２、前記シール材下部にある前記絶縁膜及び前記配線によっ
て形成される段差分をΔｈとしたとき、
σ１≧σ２  かつ
（ｘ１＋３×σ１）−（ｘ２＋３×σ２）＝Δｈ
とすることを特徴とする液晶表示パネル。
【請求項２】
前記第１のギャップ材の圧縮弾性率は、１００〜５００ｋｇ／ｍｍ２であることを特徴とする請求項１に記載の液晶表示パネル。
【請求項３】
前記第２のギャップ材の圧縮弾性率は、５００〜２５０００ｋｇ／ｍｍ２であることを特徴とする請求項１または２に記載の液晶表示パネル。
【請求項４】
前記第２のギャップ材の混合比が前記第１のギャップ材に対して混合比率０．１倍から２倍であることを特徴とする請求項１乃至３の何れか１項に記載の液晶表示パネル。
【発明の詳細な説明】
【技術分野】
【０００１】
本発明は、液晶表示パネルに関し、主に表示パネルとＴＦＴ基板間のギャップ材に特徴的な液晶表示パネルに関する。
【背景技術】
【０００２】
近年、液晶表示パネルは、薄形、軽量、低消費電力、大型の表示画面、均質で優れた画像品質を有することから、一般に広く受け入れられている。この液晶表示パネルは、一定の間隔に隔てられた２枚の基板と、この一対の基板の間隙に封入された液晶とから構成されている。２枚の基板の間隙（ギャップ）は、良好な表示品質の液晶表示パネルを得るため、均一であること、ギャップムラがないことが望ましい。ギャップムラは、押圧により基板が部分的に歪むことによって生じたり、高温時に液晶の膨張により基板に歪みが生じたりすることに起因している。そこで、均一なギャップを得るために、球状のギャップ保持材を基板間に散在させることが一般的に行われている。
【０００３】
また、直視形の液晶表示パネルに対して、拡大レンズを介して画像表示を大型のスクリーンに写し出す投射型プロジェクター用途の液晶表示パネルは、小型・高精細であることが特に要求されており、投射時において表示部エリアに散布されているギャップ材の映り込みによる表示品質の低下、あるいはＲＧＢの三板投射タイプの表示を合成する際に、パネルギャップのばらつきに起因する色むらが課題となっている。
【０００４】
この課題を解決するためには、表示エリア部へギャップ材を散布しないスペーサレスパネルを実現し、かつ高精度なギャップ均一性が必須となっている。
【０００５】
この投射型プロジェクタ用途等の小型液晶表示パネルでは、スペーサレスを実現する方法として、シールパターン部（パネル外周部）のみにギャップ材を分散し、パネルギャップを制御する方法がある。しかしながら、シール部のみでギャップ制御を行う方法は、パネル貼り合せの加圧工程において、シール材に混ぜたギャップ材が過剰に押込まれ、シールパターン下部の配線パターンを断線したり、シールパターン下部が多層配線となっている場合に配線間でショートしたり、さらに、基板の反り・うねり、あるいは下地膜や配線の段差等の要因により、ギャップ制御に大きなばらつきが生じるという問題があった。
【０００６】
上述した問題に対して、物性値の異なる二種類のギャップ材をパネル外周のシール材中に分散する技術は、公知の例として開示されていないが、二種類のギャップ材を使用する観点から、従来の液晶表示パネルを示す公知の例として、特許文献１、あるいは特許文献２に開示された技術がある。
【０００７】
この特許文献１には、第一のスペ−サの粒径がパネル周辺のシ−ル材に混入する第二のスペ−サよりも大きく、その比率を特定することにより、高コントラスト表示が得られるようにする技術が開示されている。図４に示すように、間隙を制御するための第一のスペ−サ２３として黒色で圧縮弾性係数が１００〜５００ｋｇ／ｍｍ２の小さい球状の樹脂微粒子を用い、シ−ル材２５中には無機質の第二のスペ−サ２４を混入し、第一のスペ−サ２３の粒径が第二のスペ−サ２４よりも大きく、その比率を１：０．９８〜１：０．８４とする。この場合、一対の基板２１，２２は所定の圧力で加圧されてシ−ル材２５で固着される。この時、基板２１，２２がたわむとともに、第一のスペ−サ２３には圧力変形が生じ、次に荷重を除去した際はスペ−サの弾性力による反発で基板２１，２２とスペ−サは密着した状態が保たれる。従って、両基板間の間隙精度は基板表面凹凸で決まることとなり、均一な間隙形成が可能となる。これにより表示コントラストの向上が可能となると記載されている。
【０００８】
また、特許文献２には、液晶表示装置のスペ−サとして、軟質で高弾性率の第１の粒状体と硬質で低弾性率の第２の粒状体との混合体を使用することにより、全面に亘って光学特性が均一で色むらがなく、使用可能な温度範囲の制限がないようにする技術が開示されている。図５に示すように、液晶表示装置は透光性電極３２，３７と、配向膜３３，３８とが、透光性基板３１，３６上に重ねて形成されており、配光膜３３，３８が僅かに離隔して相互に対向するように配設される。そして２個の液晶表示装置本体半部の間には、薄い空洞３９が形成されるように、２個の液晶表示装置本体半部の周辺部には、エポキシ膜のシ−ル材３４が形成され、空洞３９中にはスペ−サ３５が散在している。このスペ−サ３５を軟質で高弾性の第１の粒状体群と、第１の粒状体群の粒量の１０％以下の粒量が混合されて、かつ第１の粒状体群より硬質で低弾性率の第２の粒状体群との混合体で構成する。これによりセルギャップ長が正確に制御されて、全面にわたって光学特性が均一で色むらがなく、使用可能な温度範囲を大きくすることができると記載されている。
【特許文献１】特開平０３−２８７１２７号公報
【特許文献２】特開昭６３−１５５１２８号公報
【発明の開示】
【発明が解決しようとする課題】
【０００９】
しかしながら、先述した従来技術にはいくつかの問題点がある。
【００１０】
第１の問題点は、上述したいずれの従来技術においても、液晶パネルの表示画素部にギャップ材が散布されるため、画素単位での表示品質の低下を余儀なくされる。その理由として、投射型プロジェクター用途の液晶表示パネルでは、小型・高精細が要求されることから、ギャップ材自身の大きさが一画素に対して占める面積割合が２０％近くにも達し、ギャップ材の存在する画素と存在しない画素で表示状態にばらつきが生じるためである。さらに、画素部に存在するギャップ材は、ギャップ材の形状を考慮した場合に、液晶層の配向を乱したり、光学的性質から、画素部に入射する光を散乱させる要因となってしまうからである。
【００１１】
第２の問題点は、上記の特許文献１の技術において、パネル貼り合せの加圧工程で、シール材に混ぜたギャップ材が過剰に押込まれ、シールパターン下部の配線パターンを断線する、シールパターン下部が多層配線となっている場合に配線間でショートする、という問題がある。その理由として、ギャップ均一性を上げるためには、ギャップ材を硬質な材料にすることが効果的であるが、下部配線を押し潰してしまうからである。
【００１２】
このような課題を解決するために、本発明の液晶表示パネルは、物性値の異なる二種類のギャップ材をパネル外周のシール材中に分散することによって、パネルギャップを制御し、シール加圧時に発生する工程不良を低減し、ギャップ制御性を向上することを課題とする。
【課題を解決するための手段】
【００１３】
本発明は、シール材で一定の間隔に隔てて接着された第１及び第２基板と、この一対の第１及び第２の基板の間隙に封入された液晶とから構成され、前記第１及び第２の基板の間隙で形成する表示エリアのパネルギャップをパネル外周の前記シール材中に分散するギャップ材のみで制御する液晶表示パネルにおいて、前記シール材中に分散するギャップ材は二種類のギャップ材を有し、前記二種類のギャップ材は、前記第１の基板上に配置された絶縁膜及び配線より軟質な粒子からなる第１のギャップ材、及び前記第１の基板上に配置された絶縁膜及び配線より硬質な粒子からなる第２のギャップ材であって、前記第１のギャップ材の平均粒子径をｘ１及び標準偏差をσ１、前記第２のギャップ材の平均粒子径をｘ２及び標準偏差をσ２、前記シール材下部にある前記絶縁膜及び前記配線によって形成される段差分をΔｈとしたとき、
σ１≧σ２  かつ
（ｘ１＋３×σ１）−（ｘ２＋３×σ２）＝Δｈ
とすることを特徴とする。
【００１４】
また、上記液晶表示パネルにおいて、前記第１のギャップ材の圧縮弾性率は、１００〜５００ｋｇ／ｍｍ２であることを特徴とする。
【００１５】
また、上記液晶表示パネルにおいて、前記第２のギャップ材の圧縮弾性率は、５００〜２５０００ｋｇ／ｍｍ２であることを特徴とする。また、上記液晶表示パネルにおいて、前記第２のギャップ材の混合比が前記第１のギャップ材に対して混合比率０．１倍から２倍であることを特徴とする。
【発明の効果】
【００１６】
本発明の液晶表示パネルによれば、ガラス基板上に形成した下地膜、配線等へのギャップ材による過度の集中荷重を防止でき、シールパターン内部において均一な荷重分散が可能となるため、表示部エリアに散布されているギャップ材の映り込みによる表示品質の低下がなく、配線部の断線あるいは多層配線間のショート等の不具合を防止できることにより、高品質な小型・高精細パネルを実現できる。
【００１７】
また、投射型プロジェクター用途の液晶表示パネルとして、ＲＧＢの三板投射タイプの表示を合成する際にパネルギャップのばらつきに起因する色むらの発生を防止できる。
【発明を実施するための最良の形態】
【００１８】
本発明を実施するための最良の形態について、図面を参照しつつ詳細に説明する。
【実施例１】
【００１９】
図１は、本発明の液晶表示パネルの実施例１における構成を模式的に示す平面図である。
【００２０】
液晶表示パネル１は、ＴＦＴ基板２ａと対向基板２ｂをシール材３によって貼り合せた構造となっており、パネル外形サイズが３３．４ｍｍ幅×２８．８ｍｍ高さ×２．２ｍｍ厚さである。ＴＦＴ基板２ａには、シール材３の外側にドライバ回路部８と外部接続電極１０、シール材３の内側に遮光層９が形成され、さらに遮光層９で囲まれる内部に画素領域７が形成されている。対向基板２ｂは、ＴＦＴ基板２ａと同等の位置に遮光層９が形成され、ＴＦＴ基板２ａに対して外部接続電極１０の領域分だけ外形サイズが小さい形状となっている。
【００２１】
シール材３のパターンは、液晶材料を注入するために、図中の下部が開いた形状の液晶注入口１１を備えており、シール材３のパターン幅が０．８ｍｍとなっている。また、シール材３は、その中にギャップ材が分散されており、シール材３中に分散したギャップ材でのみ（画素領域７にギャップ材が散布されておらず）液晶表示パネル１のセルギャップを制御している。
【００２２】
なお、上記各寸法は例示であり、これに限るものではない。また、液晶プロジェクターに用いる液晶表示パネルには、透過形表示パネルと反射形表示パネルがあり、本実施形態ではいずれに用いてもよい。ただし、反射形表示パネル用のＴＦＴ基板の場合には、透過ガラスに限られず不透明の基板であってもよい。また、上記液晶表示パネルは液晶表示装置として、又はＬＣＤパネルとしても同意であり、ギャップ材４ａ，４ｂとしてスペーサであっても、ミクロパール、ロッドという呼称でも同意であり、画素領域の周辺に施すシール材は、上下の各基板内に液晶を密閉できる材料でありギャップ材と親密性を保てる材料であればよい。
【００２３】
図２は、本発明の液晶表示パネルの実施例１におけるシールパターン部の構造を示す断面図である。本発明の液晶表示パネルのセルギャップは、ＴＦＴ基板２ａと対向基板２ｂを貼り合せ、接着する役割を果たすシール材３中に分散する２種類のギャップ材で制御する。ＴＦＴ基板２ａの表面上は、ドライバ回路部８（図１に示す）から表示領域７（図１に示す）に向けてシール材３（シールパターン）を横切るように駆動用の配線６が形成されており、配線６を保護する絶縁膜５の断面が凹凸形状となっている。
【００２４】
また、シール材３中に分散する２種類のギャップ材として、第１のギャップ材４ａは、第２のギャップ材４ｂと比較し、軟質で、粒子径の標準偏差が同等以上である。軟質な第１のギャップ材４ａは、絶縁膜５の凸部で押し込まれて変形した状態に、また凹部で実質的に変形のない状態で対向基板２ｂおよび絶縁膜５と接触保持されている。一方、硬質な第２のギャップ材４ｂは、絶縁膜５の凸部で実質的に変形のない状態で対向基板２ｂおよび絶縁膜５と接触保持した状態に、また凹部で実質的に変形のない状態でかつ対向基板２ｂあるいは絶縁膜５に接触がない状態（図では接触していない状態を示す）で保持されている。
【００２５】
次に、本発明の液晶表示パネルのギャップ制御方法について、材料、製造方法を含めて詳細に説明する。
【００２６】
第１のギャップ材４ａは、平均粒子径３．５μｍ、その粒径の標準偏差が０．２５μｍの球状の樹脂粒子（商品名：ミクロパール、積水ファインケミカル（株）製）を用い、圧縮弾性率が約４８８ｋｇ／ｍｍ２である。
【００２７】
また、第２のギャップ材４ｂは、平均粒子径３．５５μｍ、その粒径の標準偏差が０．１０μｍのロッド状のガラス粒子（商品名：マイクロロッド、日本電気硝子（株）製）を用い、圧縮弾性率が約８７００ｋｇ／ｍｍ２である。
【００２８】
また、シール材３は、紫外線硬化接着材（商品名：３０Ｙ−２９６Ｇ４、スリーボンド（株）製）を用いた。ＴＦＴ基板２ａのギャップを制御するシール部近傍には、配線６としてアルミニウムを厚さ０．４μｍ、絶縁膜５として窒化膜および酸化膜の無機材料があわせて厚さ１．２μｍ形成されている。一方、対向基板２ｂのギャップを制御するシール部近傍には、成膜処理を何も施していない。
【００２９】
シール材３の供給は、あらかじめシール材３中に第１のギャップ材４ａと第２のギャップ材４ｂをシール材に対して、それぞれ２重量％と１重量％を混合分散した部材を用い、ディスペンサー方式でＴＦＴ基板２ａ上にパターンニングした。次に、シール材３を供給したＴＦＴ基板２ａと対向基板２ｂを位置決め貼り合せし、ＴＦＴ基板２ａに形成した絶縁膜５の凸部から対向基板２ｂまでの距離（シール材３中のセルギャップ）が設計値として３．８５μｍになるように加圧力をかけながら紫外線を４０００ｍＪ／ｃｍ２（λ＝３６５ｎｍ）照射し、シール材３を接着硬化した。その後、シールパターンの開いた液晶注入口１１からＴＮ系の液晶材料を注入し、紫外硬化タイプの封孔接着材で液晶注入口１１を封止した。
【００３０】
このようにして完成した液晶表示パネルは、液晶セルギャップの設計値に対する標準偏差を０．０８μｍ以下に抑えることができ、かつギャップ材４ａ，４ｂの押圧による配線切れ不良の発生を防止することができた。その理由として、ＴＦＴ基板２ａと対向基板２ｂの上下から加圧し、シール材を接着硬化させ、パネルギャップを制御した状態において、第１のギャップ材４ａは、軟質材でありかつ第２のギャップ材４ｂよりも最大粒子径が大きいため、ガラス基板に形成した下地膜の段差に応じて、軟質材の第１のギャップ材４ａによる粒子が容易につぶれ、ほぼ全てのギャップ材が界面で接触した状態で、ギャップ制御に寄与するからである。
【００３１】
一方、第２のギャップ材４ｂは、硬質材でありかつ第１のギャップ材４ａよりも最大粒子径が小さいため、ＴＦＴ基板２ａに形成した配線６や絶縁膜５の下地膜の段差による凸部で接触する粒子のみがギャップ制御に寄与するからである。
【００３２】
ところで、本発明の液晶表示パネルの実施例１の比較例として、シール材３中に分散するギャップ材４としてロッド状のガラス粒子（本実施例１で示した硬質なギャップ材）のみをシール材３に対して１重量％分散したサンプルを製作したが、液晶セルギャップの設計値に対する標準偏差を０．０８μｍ以下に抑えることができるものの、ギャップ材４の押圧による配線切れ不良が発生した。また、シール材３中に分散するギャップ材４として、球状の樹脂粒子（本実施形態で示した軟質なギャップ材）のみをシール材３に対して２重量％分散したサンプルを製作したが、液晶セルギャップの設計値に対する分散を設計値の０．０８μｍを満たす加圧条件が得られなかった。
【００３３】
なお上述の本発明の実施例１では、第１のギャップ材４ａが平均粒子径３．５μｍ、標準偏差０．２５μｍ、圧縮弾性率が約４８８ｋｇ／ｍｍ２の球状の樹脂粒子、第２のギャップ材４ｂが平均粒子径３．５５μｍ、標準偏差０．１０μｍ、圧縮弾性率が約８７００ｋｇ／ｍｍ２のロッド状のガラス粒子をシール材３に対して、それぞれ２重量％と１重量％の混合比で分散した例を示した。しかしながら本実施例１の効果は、上述した実施例１のみに限らず、第１のギャップ材４ａの圧縮弾性率が１００〜５００ｋｇ／ｍｍ２の範囲であり、かつ第２のギャップ材４ｂの圧縮弾性率が５００〜２５０００ｋｇ／ｍｍ２の範囲であること、第２のギャップ材４ｂの標準偏差が第１のギャップ材４ａの標準偏差に対して小さいこと、かつギャップ材の混合比率が第２のギャップ材の混合比が第１のギャップ材に対して０．１倍から２倍程度であれば同様に得られる。
【００３４】
次に、本発明の液晶表示パネルにおけるギャップ制御の原理について説明する。
【００３５】
図３は、本発明の液晶表示パネルの２種類のギャップ材について、実質的なパネルのギャップ値とギャップ材の制御に必要な加圧力の関係を示すグラフである。第１のギャップ材加圧力曲線は、ギャップ材が軟質材料であるため、ギャップ値の変動に対して加圧力の立ち上がりが緩やかとなる。これに対して、第２のギャップ材加圧力曲線は、ギャップ材が硬質材料であるため、ギャップ値の変動に対して加圧力の立ち上がりが急峻となる。またギャップ材の加圧力曲線の立ち上がりを示す開始点は、ギャップ材の平均粒子径と標準偏差で決まり、ギャップ材の平均粒子径が大きいもしくはギャップ材の粒子径の標準偏差が大きいときにギャップ値として大きくなる。さらにギャップ材の粒子径の標準偏差が小さくなる程、ギャップ材の加圧力曲線は急峻な立ち上がりとなる。
【００３６】
上述の特性を考慮すると、図に示すギャップ制御適正域は、ギャップ値の上限として硬質な第２のギャップ材４ｂが加圧力に関与する開始点、またギャップ値の下限として第２のギャップ材４ｂが第１のギャップ材４ａに対して支配的にならない領域となる。
【００３７】
そこで、第１のギャップ材４ａと第２のギャップ材４ｂの平均粒子径とギャップ材の粒子径の標準偏差の選択は、ＴＦＴ基板２ａ上に形成される配線６や絶縁膜５などの下地膜の段差によって決定される。下地膜の段差が大きい場合は、第１のギャップ材と第２のギャップ材の平均粒子径の差を大きくする。また、下地膜の段差が小さい場合は、その差を小さくする。また、硬質である第２のギャップ材は、できる限り粒子径の標準偏差を小さくすることで、ギャップ値からみたギャップ適正域をせまくすることができる。これにより、精度の高いパネルギャップの制御が可能になる。
【００３８】
上述のギャップ制御の原理は、第１のギャップ材４ａの平均粒子径をｘ１および標準偏差をσ１、第２のギャップ材４ｂの平均粒子径をｘ２およびその粒子径の標準偏差をσ２、液晶表示パネルのシール材３下部（下地）にある絶縁膜５および配線６によって形成される段差分をΔｈとしたとき、以下の関係式を実質的に満足することが最適な条件である。
【００３９】
σ１≧σ２  かつ
（ｘ１＋３×σ１）−（ｘ２＋３×σ２）＝Δｈ
例えば、上述の実施例１による第１のギャップ材４ａは、平均粒子径３．５μｍ、標準偏差０．２５μｍの球状の樹脂粒子、圧縮弾性率が約４８８ｋｇ／ｍｍ２であり、第２のギャップ材４ｂは、平均粒子径３．５５μｍ、標準偏差０．１０μｍのロッド状のガラス粒子、圧縮弾性率が約８７００ｋｇ／ｍｍ２である場合、
Δｈ  ＝（３．５＋３×０．２５）−（３．５５＋３×０．１０）
＝０．４
となる。上述の実施形態での段差分（Δｈ）は、絶縁膜５が厚さ１．２μｍでシール部近傍のパターン領域全面に、ほぼ均一の厚みで形成されているため、配線６の厚さ０．４μｍによって、実質的に等しくなる。
【実施例２】
【００４０】
以下、本発明の実施例２について説明する。本発明の液晶表示パネルの実施例２は、実施例１とパネル構成、製造方法が同じであるため、使用材料についてのみ説明する。本実施例においても、図１の平面図、図２の断面図によって説明される。
【００４１】
まず、第１のギャップ材４ａは、平均粒子径３．６μｍ、標準偏差０．２５μｍの球状の樹脂粒子（商品名：ミクロパール、積水ファインケミカル（株）製）を用い、圧縮弾性率が約４８８ｋｇ／ｍｍ２である。
【００４２】
また、第２のギャップ材４ｂは、平均粒子径３．８μｍ、標準偏差０．０６μｍの球状のシリカ粒子（商品名：真絲球−ＳＷ、触媒化成（株）製）を用い、圧縮弾性率が推定で約２５００ｋｇ／ｍｍ２である。シール材３は、紫外線硬化接着材（商品名：３０Ｙ−２９６Ｇ４，スリーボンド（株）製）を用いた。ＴＦＴ基板２ａのギャップを制御するシール部近傍には、配線６としてアルミニウムを０．４μｍ、絶縁膜として窒化膜および酸化膜の無機材料をあわせて１．２μｍ形成した。一方、対向基板２ｂのギャップを制御するシール部近傍には、成膜処理を何も施していない。
【００４３】
シール材３の供給は、あらかじめシール材３中に第１のギャップ材４ａと第２のギャップ材４ｂをシール材に対してそれぞれ１．５重量％と１．５重量％を混合分散した部材を用い、ディスペンサー方式でＴＦＴ基板２ａ上にパターンニングした。次に、シール材３を供給したＴＦＴ基板２ａと対向基板２ｂを位置決め貼り合せし、ＴＦＴ基板１ｂに形成した絶縁膜５の凸部から対向基板２ｂまでの距離（シール材３中のセルギャップ）が設計値として３．９５μｍになるように加圧力をかけながら紫外線を４０００ｍＪ／ｃｍ２（λ＝３６５ｎｍ）照射し、シール材３を接着硬化した。その後、シールパターンの開いた液晶注入口よりＴＮ系の液晶材料を注入し、紫外硬化タイプの封孔接着材で液晶注入口を封止した。
【００４４】
このようにして完成した液晶表示パネルは、液晶セルギャップの設計値に対する標準偏差を０．０８μｍ以下に抑えることができ、かつギャップ材の押圧による配線切れ不良の発生を防止することができた。
【００４５】
なお上述の実施例２では、第１のギャップ材４ａが平均粒子径３．６μｍ、標準偏差０．２５μｍ、圧縮弾性率が約４８８ｋｇ／ｍｍ２の球状の樹脂粒子、第２のギャップ材４ｂが平均粒子径３．８μｍ、標準偏差０．０６μｍ、圧縮弾性率が約２５００ｋｇ／ｍｍ２の球状のシリカ粒子をシール材３に対してそれぞれ１．５重量％と１．５重量％の混合比で分散した例を示した。
【００４６】
しかしながら、本実施例の効果は、上述した実施例２のみに限らず、第１のギャップ材４ａの圧縮弾性率が１００〜５００ｋｇ／ｍｍ２の範囲であり、好ましくは２００〜４００ｋｇ／ｍｍ２の範囲であり、かつ第２のギャップ材４ｂの圧縮弾性率が５００〜２５０００ｋｇ／ｍｍ２の範囲であり、好ましくは５００〜２００００ｋｇ／ｍｍ２の範囲であること、第２のギャップ材４ｂの粒子径の標準偏差が第１のギャップ材４ａの粒子径の標準偏差に対して小さいこと、かつギャップ材の混合比率が第２のギャップ材４ｂの混合比が、第１のギャップ材に対して０．１倍から２倍程度であれば同様に得られる。
【産業上の利用可能性】
【００４７】
上記の本発明の実施例の説明では、約１．３インチの画像表示領域を有する液晶表示パネルについて説明したが、本発明の液晶表示パネルは、２枚の基板の展性が小さければ、数インチのパネルにも適用できる。また、液晶の材料はＴＮタイプの例を示したが、ＳＴＮタイプであっても、強誘電体タイプであってもよく、特に限定されるものではない。
【図面の簡単な説明】
【００４８】
【図１】本発明の液晶表示パネルの平面図である。
【図２】本発明の液晶表示パネルの周辺部のシール材周辺の断面図である。
【図３】本発明の液晶表示パネルに用いるギャップ材のギャップ値と加圧力のグラフである。
【図４】従来例の液晶表示パネルの断面図である。
【図５】従来例の液晶表示パネルの断面図である。
【符号の説明】
【００４９】
１    液晶表示パネル
２ａ    ＴＦＴ基板
２ｂ    対向基板
３    シール材
４ａ    第１のギャップ材
４ｂ    第２のギャップ材
５    絶縁膜
６    配線
７    画素領域
８    ドライバ回路部
９    遮光層
１０  外部接続電極
１１    液晶注入口
２１，２２    透明電極基板
２３    第一のスペーサ
２４    第二のスペーサ
２５，３４    シール材
２７    液晶材料
３１，３６    透光性基板
３２，３７    透光性電極
３３，３８    配向膜
３５    スペーサ
３９    空洞
【図１】
0003680849.tif 000002
【図２】
0003680849.tif 000003
【図３】
0003680849.tif 000004
【図４】
0003680849.tif 000005
【図５】
0003680849.tif 000006